(57)【要約】【課題】  従来の刈払機用の飛散防止カバーは作業者への飛散物の直撃防止を目的とするが、作業者に当たらなくとも周辺に小石等が飛散するため、それが走行中の車両に当たってフロントガラス等を損傷させるおそれがあった。【解決手段】  主軸３に取付ける刈払機１用の飛散防止カバー６であって、ａ）略扇形で透視性を有する上面カバー６ａと、上面カバー６ａの略弧状周縁部６ｂから地面に向けて垂設され回転刃４に凹状面を向かわせるようにした柔軟且つ透視性を有する垂幕カバー６ｄで構成する、ｂ）上面カバー６ａの扇の要側を主軸３に対して角度変更可能な支持構造で結合し、一方略弧状周縁部６ｂ側を主軸３に対して解除可能な固定手段で結合する、ｃ）固定手段は、少なくとも上面カバー６ａの略弧状周縁部６ｂの中心を挟んで左右二箇所に形成し、左右に略弧状周縁部６ｂを偏心させて主軸３に取付け得るようにする、の構成を具備してなる。【選択図】        図１
2006296311.tif 000002
【特許請求の範囲】
【請求項１】
操作ハンドルを有する主軸の先端に回転刃を装着してなる刈払機の前記主軸に取り付けるものであって、次の（ａ）〜（ｃ）の構成を具備してなる刈払機用の飛散防止カバー。
（ａ）略扇形で透視性を有する上面カバーと、その上面カバーの略弧状周縁部から地面に向けて垂設され前記回転刃に凹状面を向かわせるようにした柔軟且つ透視性を有する垂幕カバーで構成する。
（ｂ）前記上面カバーの扇の要側を、主軸に対して角度変更可能な支持構造で結合し、一方、略弧状周縁部側を、前記主軸に対して解除可能な固定手段で結合する。
（ｃ）前記固定手段は、少なくとも上面カバーの略弧状周縁部の中心を挟んで左右二箇所に形成し、左右に略弧状周縁部を偏心させて前記主軸に取り付け得るようにする。
【請求項２】
請求項１記載の飛散防止カバーを取り付けてなることを特徴とする刈払機。
【発明の詳細な説明】
【技術分野】
【０００１】
本発明は、地面に生えた雑草等を取り除く刈払機に使用する飛散防止カバー及び刈払機に関する。
【背景技術】
【０００２】
従来の刈払機１００は図６に示したように、操作ハンドル１０１を有する主軸１０２と、その主軸１０２の先端に装着した回転刃１０３と、前記主軸１０２の後端に設置した回転刃駆動用の駆動装置１０４と、からなる。この刈払機１００の主軸１０２には前記回転刃１０３の後縁を覆うように飛散防止カバー１０５が取り付けられている。
【発明の開示】
【発明が解決しようとする課題】
【０００３】
従来の刈払機１００用の飛散防止カバー１０５は、作業者への飛散物の直撃防止を目的とするものであり、従って図６のように、作業者に向かう小石等の飛散物に対応できる程度の大きさ、形状になっている。そのため作業者の周辺に飛び散る飛散物は野放し状態になっているが、作業現場ではそのような周辺に飛び散る飛散物による重要な問題が生じていた。
すなわち、刈払機１００で道路脇の雑草を刈り取ると、道路に向かって小石等が飛散するため、それが走行中の車両に当たってフロントガラスやボディを損傷させる事故につながるのである。
【課題を解決するための手段】
【０００４】
請求項１に記載したように、操作ハンドルを有する主軸の先端に回転刃を装着してなる刈払機の前記主軸に取り付ける次の（ａ）〜（ｃ）の構成を具備してなる刈払機用の飛散防止カバーを提供する。
（ａ）略扇形で透視性を有する上面カバーと、その上面カバーの略弧状周縁部から地面に向けて垂設され前記回転刃に凹状面を向かわせるようにした柔軟且つ透視性を有する垂幕カバーで構成する。
（ｂ）前記上面カバーの扇の要側を、主軸に対して角度変更可能な支持構造で結合し、一方、略弧状周縁部側を、前記主軸に対して解除可能な固定手段で結合する。
（ｃ）前記固定手段は、少なくとも上面カバーの略弧状周縁部の中心を挟んで左右二箇所に形成し、左右に略弧状周縁部を偏心させて前記主軸に取り付け得るようにする。
【０００５】
また、請求項２に記載したように、請求項１記載の飛散防止カバーを取り付けてなる刈払機を提供する。
【発明の効果】
【０００６】
扇の要側と略弧状周縁部側の二点を主軸に結合することで、主軸が飛散防止カバーを補強する芯になるため、上面カバーや垂幕カバーを大型化することができる。また、上面カバーと垂幕カバーを透視性を有する素材で形成することにより飛散防止カバーで回転刃が隠れるおそれもないため、この点でも飛散防止カバーを大型化することができる。さらにまた、扇の要側の角度を変え略弧状周縁部側を偏心させていわゆる尻振り状態に取り付け得るようにしたため、現場の状況に応じて道路側に広くカバー領域を設定することが可能になる。また、カバー領域を変更しても扇の要側の位置は変わらないから垂幕カバーの凹状面が常に回転刃に正対する。従って垂幕カバーに衝突した飛散物を概ね回転刃側に向けて跳ね返らせることができるから、跳ね返り後の再飛散が防止できる。
以上のように本発明の飛散防止カバーは、常識外の大型化が可能であり、その結果、作業者の周辺にまで広範囲に飛散防止効果を及ばせることができる。しかもカバー領域の向きが変更可能であるため、現場の状況に応じて狙った方向への飛散防止効果を高めることができる等、極めて高い実用性を発揮する。
【発明を実施するための最良の形態】
【０００７】
以下に本発明の実施の形態を図面を参照しつつ説明する。なお、図１は刈払機の斜視図、図２は飛散防止カバーの略扇形フレームを示す要部の拡大斜視図、図３，図４は要部の拡大断面図である。
【０００８】
刈払機１は図１に示したように、操作ハンドル２を有する主軸３と、その主軸３の先端に装着した回転刃４と、前記主軸３の後端に設置した回転刃駆動用の駆動装置５と、からなる。なお、主軸３はパイプ状になっており、その内部に通したドライブシャフトで駆動装置５の動力が回転刃４に伝達される。
【０００９】
この刈払機１の前記主軸３には、前記回転刃４と操作ハンドル２の間に飛散防止カバー６が取り付けられている。本発明の飛散防止カバー６は図１に示したように、略扇形の上面カバー６ａと、その上面カバー６ａの略弧状周縁部６ｂから地面に向けて垂設した垂幕カバー６ｄで構成される。なお、上面カバー６ａは正確な扇形に限定されず、例えば扇の弧の部分を多角にしたり、楕円のような歪みがあってもよいのであって、それらを広く含める趣旨から「略扇形」及び「略弧状周縁部」と表現した。
【００１０】
前記上面カバー６ａと垂幕カバー６ｄは共に網状シート材で形成されており、柔軟性と網目による透視性を有する。垂幕カバー６ｄは地面に達する長さに設定されており、従って使用時には裾が地表に擦れる。
【００１１】
前記上面カバー６ａは、前記のように網状シート材であって柔軟であるため、略扇形の形態を維持すべく図２に示した略扇形フレーム６ｅに張設されている。略扇形フレーム６ｅは、扇の要側から径方向に延びる真っ直ぐな二本の直フレーム６ｆ，６ｆと、扇の弧に相当する弓なりの曲フレーム６ｇとをネジ６ｈ，６ｈで連結すると共に直フレーム６ｆと同様の補強フレーム６ｉを径方向に差し渡して構成される。なお、直フレーム６ｆ，６ｆ同士の好ましい角度、つまり略扇形の好ましい中心角は１００度〜１２０度である。
【００１２】
前記直フレーム６ｆ，６ｆは図４に示したように断面Ｌ字型であって合成樹脂製である。この直フレーム６ｆの先端には図示しないが貫通孔が穿設されており、その先端を既存の飛散防止カバー１０５と略Ω状の止め金具６ｊの間に挟んで前記貫通孔にネジ６ｋ，６ｋを通すことにより、主軸３に対して回動可能な状態に止められる。もちろん直フレーム６ｆ，６ｆが回動可能である状態はネジ６ｋ，６ｋが緩められている状態であり、ネジ６ｋ，６ｋを強く締めれば直フレーム６ｆ，６ｆは回動不能に変わる。
【００１３】
一方、曲フレーム６ｇは図３に示したように断面逆さＬ字型の合成樹脂材であって、主軸３に対し略Ω状の止め金具６ｍを介してネジ６ｎ，６ｎで止められる。従って、当該止め金具６ｍと、ネジ６ｎ，６ｎと、そのネジ６ｎ，６ｎを受けるために曲フレーム６ｇに設けたネジ孔６ｐ，６ｐ…とが、上面カバー６ａの略弧状周縁部６ｂを主軸３に固定するための解除可能な固定手段を構成する。この固定手段の一要素である曲フレーム６ｇのネジ孔６ｐ，６ｐ…は、二個を一組として曲フレーム６ｇの中央に一組と、左右偏心位置に二組の合計三組設けられている。従って曲フレーム６ｇ、つまり上面カバー６ａの略弧状周縁部６ｂは、中央と左右の三箇所のいずれかのネジ孔６ｐ，６ｐを選択して主軸３に取り付け得る。もちろん固定手段の固定はネジ式で解除可能であるため、固定ポイントは自由に変更可能である。
【００１４】
上面カバー６ａはこのような略扇形フレーム６ｅに対しネジ６ｑ，６ｑ…で取り付けられる。その際、直フレーム６ｆ，６ｆに対しては押さえベルト６ｒを介在させる。また、同様に前記垂幕カバー６ｄも略扇形フレーム６ｅの曲フレーム６ｇに押さえベルト６ｒを介してネジ６ｃ，６ｃ…で取り付けられる。
【００１５】
以上の構成である刈払機１は、扇の要側と略弧状周縁部６ｂ側の二点を主軸３に結合することで、主軸３が飛散防止カバー６を補強する芯として機能するため、実施形態のように大型の飛散防止カバー６でも高い形態安定性を発揮する。また、上面カバー６ａと垂幕カバー６ｄが透視性を有するため、飛散防止カバー６越しに回転刃４が透けて見える。従って大型の飛散防止カバー６でも作業性がよい。また、図１，２に示したように飛散防止カバー６を尻振り状態に偏心させて主軸３に取り付け、張り出し量の多い側を道路に向けて作業することにより、最も危険な道路への飛散が効果的に防止できる。さらにまた、前記のようにカバー領域を変更しても垂幕カバー６ｄの凹状面が常に回転刃４に正対するため、垂幕カバー６ｄに衝突した飛散物を概ね回転刃４側に向けて跳ね返らせることができるから、跳ね返り後の再飛散をも防止することができる。
【００１６】
そして現場の状況により道路の位置が主軸３の反対側になる場合は、固定手段のネジ６ｎ，６ｎを外して止め金具６ｍを外し、直フレーム６ｆ，６ｆの先端を止めるネジ６ｋ，６ｋを緩めて回動可能とし、この状態で直フレーム６ｆ，６ｆを回動させて曲フレーム６ｇを図２矢示方向に旋回させ、反対側にあるネジ孔６ｐ，６ｐに止め金具６ｍを取り付ける。そうすることにより飛散防止カバー６の張り出し量の多い側を道路に向かわせて作業することができる。
【００１７】
なお、実施形態では上面カバー６ａと垂幕カバー６ｄを網状シートで形成したが、この網状シートは、通気性に優れ空気抵抗が小さいことから風に煽られにくい特徴がある。特に飛散防止カバー６を大型にした場合には回転刃４を左右に振る際に風の抵抗を受ける度合いが強く、しかも高速道路などでは走行車両から常に風圧を受けるため、上面カバー６ａと垂幕カバー６ｄを網状シートで形成するメリットは極めて大きい。
【００１８】
以上本発明を実施の形態について説明したが、もちろん本発明は上記実施形態に限定されるものではない。例えば、実施形態では直フレーム６ｆ，６ｆを主軸３に取り付けるに際し、既存の飛散防止カバー１０５をナット代わりに利用したが、専用のネジ受け具を用いればそのような飛散防止カバー１０５は必須でない。もっとも飛散防止カバーを前後二重に取り付ければ、小さい飛散防止カバー１０５は作業者の安全確保に重点を置き、もう一方の大きい飛散防止カバー６は周辺の安全確保に重点を置く、というようにしてより高度な飛散防止効果が期待できる点で好ましい。
【００１９】
また、実施形態では曲フレーム６ｇに設けたネジ孔６ｐ，６ｐを三組にして飛散防止カバー６の取り付け角度を三段階に設定可能としたが、例えば止め金具６ｍ用のネジ孔６ｐ，６ｐと、上面カバー６ａ取付用のネジ孔６ｓ，６ｓ…のピッチを統一すれば、飛散防止カバー６の取り付け角度はさらに細かく設定できる。
また、実施形態では上面カバー６ａの扇の要側を主軸３に対して角度変更可能とするため、直フレーム６ｆ，６ｆをネジ６ｋ，６ｋで回動可能に支持させるようにしたが、例えば図５に示したように略扇形フレーム６ｅの要部分に取付プレート６ｔを固着すると共にその取付プレート６ｔと主軸３をネジ６ｕ，６ｕで連結し、一方、取付プレート６ｔに穿設した別の取付孔６ｖ，６ｖに前記ネジ６ｕ，６ｕを付け替えて主軸３と要側の角度を変えるようにしてもよい。
【図面の簡単な説明】
【００２０】
【図１】刈払機の斜視図である。
【図２】飛散防止カバーの略扇形フレームを示す要部の拡大斜視図である。
【図３】要部の拡大断面図である。
【図４】要部の拡大断面図である。
【図５】他の形態を示すもので、飛散防止カバーの略扇形フレームを示す要部の拡大斜視図である。
【図６】従来技術を示す刈払機の斜視図である。
【符号の説明】
【００２１】
１  …刈払機
２  …操作ハンドル
３  …主軸
４  …回転刃
６  …飛散防止カバー
６ａ…上面カバー
６ｂ…略弧状周縁部
６ｄ…垂幕カバー
６ｍ…止め金具（固定手段）
６ｎ…ネジ（固定手段）
６ｐ…ネジ孔（固定手段  
【図１】
2006296311.tif 000003
【図２】
2006296311.tif 000004
【図３】
2006296311.tif 000005
【図４】
2006296311.tif 000006
【図５】
2006296311.tif 000007
【図６】
2006296311.tif 000008